(57)【要約】【課題】ダイクロイックミラーの枚数を削減し、かつ通常光の減衰を抑えることを可能とする内視鏡用光源装置及び内視鏡システムを提供する。【解決手段】第１ダイクロイックミラー５２ａは、Ｂ−ＬＥＤ５０ａから入射する青色光ＬＢを透過させ、Ｖ−ＬＥＤ５０ｂから入射する紫色光ＬＶを反射させることにより、青色光ＬＢ及び紫色光ＬＶの光路を統合する。第２ダイクロイックミラー５２ｂは、Ｂ−ＬＤ５４から入射する励起光ＬＥを反射させることにより、励起光ＬＥを回転蛍光体５６に照射させる。回転蛍光体５６は、励起光ＬＥの照射に応じて緑色光ＬＧを、第２ダイクロイックミラー５２ｂに向けて発する。第２ダイクロイックミラー５２ｂは、緑色光ＬＧを透過させ、第１ダイクロイックミラー５２ａから入射する青色光ＬＢ及び紫色光ＬＶを反射させることにより、緑色光ＬＧと、青色光ＬＢ及び紫色光ＬＶとの光路を統合する。【選択図】図５
2015171443.tif 000002
【特許請求の範囲】
【請求項１】
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光に対して反射及び透過のうちの一方を生じさせ、前記第３光に対して反射及び透過のうちの他方を生じさせる第１ダイクロイックミラーと、
前記励起光、前記第２光、及び前記第３光に対して反射及び透過のうちの一方を生じさせ、前記第１光に対して反射及び透過のうちの他方を生じさせる第２ダイクロイックミラーと、を備え、
前記蛍光体は、前記第１光源から前記第２ダイクロイックミラーを介して前記励起光が入射することにより、前記第２ダイクロイックミラーに向けて前記第１光を発し、
前記第１ダイクロイックミラーは、前記第２及び第３光の光路を統合し、前記第２ダイクロイックミラーは、前記第１ダイクロイックミラーにより光路が統合された前記第２及び第３光と、前記蛍光体から入射した前記第１光との光路を統合する
ことを特徴とする内視鏡用光源装置。
【請求項２】
前記第１光よりピーク波長が長波長である第４光を発する第４光源と、
前記第２ダイクロイックミラーにより光路が統合された前記第１〜第３光に対して反射及び透過のうちの一方を生じさせ、前記第４光に対して反射及び透過のうちの他方を生じさせて、前記第１〜第４光の光路を統合する第３ダイクロイックミラーと、
を備えることを特徴とする請求項１に記載の内視鏡用光源装置。
【請求項３】
前記第２ダイクロイックミラーは、５６０〜５９０ｎｍの範囲内の特定波長以上の光に対して、反射及び透過のうちの前記一方を生じさせることを特徴とする請求項２に記載の内視鏡用光源装置。
【請求項４】
前記第３ダイクロイックミラーは、５６０〜５９０ｎｍの範囲内の特定波長以上の光に対して、反射及び透過のうちの前記他方を生じさせることを特徴とする請求項２に記載の内視鏡用光源装置。
【請求項５】
５６０〜５９０ｎｍの範囲内の特定波長以上の光をカットする長波長カットフィルタを備えることを特徴とする請求項２に記載の内視鏡用光源装置。
【請求項６】
前記長波長カットフィルタを、前記第１光の光路上に挿脱させるフィルタ挿脱部を備えることを特徴とする請求項５に記載の内視鏡用光源装置。
【請求項７】
５６０〜５９０ｎｍの波長範囲の光を減光させるノッチフィルタを備えることを特徴とする請求項２に記載の内視鏡用光源装置。
【請求項８】
前記ノッチフィルタを、前記第３ダイクロイックミラーにより統合された光路上に挿脱させるフィルタ挿脱部を備えることを特徴とする請求項７に記載の内視鏡用光源装置。
【請求項９】
前記蛍光体は、回転駆動され、前記蛍光体上の前記励起光の照射位置が回転に応じて移動する回転蛍光体であることを特徴とする請求項１から８のうちいずれか１項に記載の内視鏡用光源装置。
【請求項１０】
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光に対して反射及び透過のうちの一方を生じさせ、前記第３光に対して反射及び透過のうちの他方を生じさせる第１ダイクロイックミラーと、
前記励起光、前記第２光、及び前記第３光に対して反射及び透過のうちの一方を生じさせ、前記第１光に対して反射及び透過のうちの他方を生じさせる第２ダイクロイックミラーと、を備え、
前記蛍光体が、前記第１光源から前記第２ダイクロイックミラーを介して前記励起光が入射することにより、前記第２ダイクロイックミラーに向けて前記第１光を発し、
前記第１ダイクロイックミラーが、前記第２及び第３光の光路を統合し、前記第２ダイクロイックミラーが、前記第１ダイクロイックミラーにより光路が統合された前記第２及び第３光と、前記蛍光体から入射した前記第１光との光路を統合する光源装置と、
前記第１〜第３光のうちの少なくとも１つが照射された観察部位からの反射光を撮像する撮像素子を有する内視鏡と、
前記第１〜第３光源と前記撮像素子との制御を行う制御部と、
を備えることを特徴とする内視鏡システム。
【請求項１１】
前記光源装置が、
前記第１光よりピーク波長が長波長である第４光を発する第４光源と、
前記第２ダイクロイックミラーにより光路が統合された前記第１〜第３光に対して反射及び透過のうちの一方を生じさせ、前記第４光に対して反射及び透過のうちの他方を生じさせて、前記第１〜第４光の光路を統合する第３ダイクロイックミラーと、
を備えることを特徴とする請求項１０に記載の内視鏡システム。
【請求項１２】
通常観察モードと血管強調観察モードとを有し、
前記制御部は、前記通常観察モード時には、前記第１光、前記第２光、及び前記第４光を同時または個別に発光させ、前記血管強調観察モード時には、前記第１光及び前記第３光を同時または個別に発光させることを特徴とする請求項１１に記載の内視鏡システム。
【発明の詳細な説明】
【技術分野】
【０００１】
本発明は、励起光源と蛍光体とを有する内視鏡用光源装置及び内視鏡システムに関する。
【背景技術】
【０００２】
近年の医療においては、内視鏡用光源装置、電子内視鏡、プロセッサ装置を備える内視鏡システムを用いた診断等が広く行われている。内視鏡用光源装置は、照明光を発生して検体内に照射する。電子内視鏡は、照明光が照射された検体内を、撮像素子により撮像して撮像信号を生成する。プロセッサ装置は、電子内視鏡により生成された撮像信号を画像処理して、モニタに表示するための観察画像を生成する。
【０００３】
従来、内視鏡用光源装置には、照明光として白色光を発するキセノンランプやハロゲンランプ等のランプ光源が使用されていたが、最近では、ランプ光源に代えて、特定の色の光を発するレーザダイオード（ＬＤ： Laser Diode）や発光ダイオード（ＬＥＤ： Light Emitting Diode）等の半導体光源が用いられつつある。
【０００４】
また、照明光の高輝度化を図るために、励起光（青色光）を発する励起光源（青色ＬＤ）、励起光の入射により蛍光（緑色光）を発する蛍光体、励起光を反射させ蛍光を透過させるダイクロイックミラーが設けられた内視鏡用光源装置が知られている（特許文献１参照）。この内視鏡用光源装置では、励起光源から射出された励起光がダイクロイックミラーで反射されて蛍光体に照射される。蛍光体は、励起光の照射に応じて、ダイクロイックミラーに向けて蛍光（緑色光）を発する。この蛍光は、ダイクロイックミラーを透過して射出される。
【０００５】
特許文献１に記載の内視鏡用光源装置では、緑色光の他に、青色光、赤色光、紫色光を発生するために、青色光源（青色ＬＥＤ）、赤色光源（赤色ＬＥＤ）、紫色光源（紫色ＬＥＤ）が設けられている。また、これらの光の光路を、蛍光体からの蛍光（緑色光）の光路と統合するために、各光源に対して１つずつダイクロイックミラーが設けられている。これらの光のうち紫色光は、狭帯域光であり、生体組織表層の血管を強調するための血管強調観察モードで用いられるものである。
【先行技術文献】
【特許文献】
【０００６】
【特許文献１】特開２０１３−２１５４３５号公報
【発明の概要】
【発明が解決しようとする課題】
【０００７】
しかしながら、特許文献１に記載の内視鏡用光源装置では、励起光源、青色光源、赤色光源、紫色光源の各光源につき１つのダイクロイックミラーが設けられているので、ダイクロイックミラーの枚数が多い。このため、高コストで、かつ装置サイズが大型化するといった問題がある。
【０００８】
また、特許文献１に記載の内視鏡用光源装置では、血管強調観察モードでのみ使用される紫色光源と、紫色光源に対して設けられたダイクロイックミラーとが光路の最下流に設けられている。このため、通常観察モードで生成される蛍光（緑色光）、青色光、赤色光の各光（通常光）は、紫色光源に対して設けられたダイクロイックミラーを常に通過する。ダイクロイックミラーは、透過または反射により光をわずかながら吸収・散乱させるので、通常光の減衰が懸念される。
【０００９】
本発明は、励起光源と蛍光体とを有する内視鏡用光源装置及び内視鏡システムにおいて、ダイクロイックミラーの枚数を削減し、かつ通常光の減衰を抑えることを可能とする内視鏡用光源装置及び内視鏡システムを提供することを目的とする。
【課題を解決するための手段】
【００１０】
上記目的を達成するために、本発明の内視鏡用光源装置は、励起光を発する第１光源と、励起光の照射により、励起光よりピーク波長が長波長である第１光を発する蛍光体と、第１光よりピーク波長が短波長である第２光を発する第２光源と、第２光よりピーク波長が短波長である第３光を発する第３光源と、第２光に対して反射及び透過のうちの一方を生じさせ、第３光に対して反射及び透過のうちの他方を生じさせる第１ダイクロイックミラーと、励起光、第２光、及び第３光に対して反射及び透過のうちの一方を生じさせ、第１光に対して反射及び透過のうちの他方を生じさせる第２ダイクロイックミラーと、を備え、蛍光体は、第１光源から第２ダイクロイックミラーを介して励起光が入射することにより、第２ダイクロイックミラーに向けて第１光を発し、第１ダイクロイックミラーは、第２及び第３光の光路を統合し、第２ダイクロイックミラーは、第１ダイクロイックミラーにより光路が統合された第２及び第３光と、蛍光体から入射した第１光との光路を統合する。なお、ダイクロイックミラーとは、ダイクロイックフィルタと同義である。
【００１１】
第１光よりピーク波長が長波長である第４光を発する第４光源と、第２ダイクロイックミラーにより光路が統合された第１〜第３光に対して反射及び透過のうちの一方を生じさせ、第４光に対して反射及び透過のうちの他方を生じさせて、第１〜第４光の光路を統合する第３ダイクロイックミラーと、を備えることが好ましい。
【００１２】
第２ダイクロイックミラーは、５６０〜５９０ｎｍの範囲内の特定波長以上の光に対して、反射及び透過のうちの上記一方を生じさせることが好ましい。
【００１３】
第３ダイクロイックミラーは、５６０〜５９０ｎｍの範囲内の特定波長以上の光に対して、反射及び透過のうちの上記他方を生じさせても良い。
【００１４】
５６０〜５９０ｎｍの範囲内の特定波長以上の光をカットする長波長カットフィルタを設けても良い。この場合、長波長カットフィルタを、第１光の光路上に挿脱させるフィルタ挿脱部を備えることが好ましい。
【００１５】
５６０〜５９０ｎｍの波長範囲の光を減光させるノッチフィルタを設けても良い。この場合、ノッチフィルタを、第３ダイクロイックミラーにより統合された光路上に挿脱させるフィルタ挿脱部を備えることが好ましい。
【００１６】
蛍光体は、回転駆動され、蛍光体上の励起光の照射位置が回転に応じて移動する回転蛍光体であることが好ましい。
【００１７】
本発明の内視鏡システムは、光源装置と、内視鏡と、制御部とを備える。光源装置は、励起光を発する第１光源と、励起光の照射により、励起光よりピーク波長が長波長である第１光を発する蛍光体と、第１光よりピーク波長が短波長である第２光を発する第２光源と、第２光よりピーク波長が短波長である第３光を発する第３光源と、第２光に対して反射及び透過のうちの一方を生じさせ、第３光に対して反射及び透過のうちの他方を生じさせる第１ダイクロイックミラーと、励起光、第２光、及び第３光に対して反射及び透過のうちの一方を生じさせ、第１光に対して反射及び透過のうちの他方を生じさせる第２ダイクロイックミラーと、を備え、蛍光体が、第１光源から第２ダイクロイックミラーを介して励起光が入射することにより、第２ダイクロイックミラーに向けて第１光を発し、第１ダイクロイックミラーが、第２及び第３光の光路を統合し、第２ダイクロイックミラーが、第１ダイクロイックミラーにより光路が統合された第２及び第３光と、蛍光体から入射した第１光との光路を統合する。内視鏡は、第１〜第３光のうちの少なくとも１つが照射された観察部位からの反射光を撮像する撮像素子を有する。制御部は、第１〜第３光源と撮像素子との制御を行う。
【００１８】
光源装置が、第１光よりピーク波長が長波長である第４光を発する第４光源と、第２ダイクロイックミラーにより光路が統合された第１〜第３光に対して反射及び透過のうちの一方を生じさせ、第４光に対して反射及び透過のうちの他方を生じさせて、第１〜第４光の光路を統合する第３ダイクロイックミラーと、を備えることが好ましい。
【００１９】
通常観察モードと血管強調観察モードとを有し、制御部は、通常観察モード時には、第１光、第２光、及び第４光を同時または個別に発光させ、血管強調観察モード時には、第１光及び第３光を同時または個別に発光させることが好ましい。
【発明の効果】
【００２０】
本発明によれば、蛍光体が、第１光源から第２ダイクロイックミラーを介して励起光が入射することにより、第２ダイクロイックミラーに向けて第１光を発し、第１ダイクロイックミラーが、第２及び第３光の光路を統合し、第２ダイクロイックミラーが、第１ダイクロイックミラーにより光路が統合された第２及び第３光と、蛍光体から入射した第１光との光路を統合するので、ダイクロイックミラーの枚数を削減し、かつ通常光の減衰を抑えることができる。例えば、励起光は青色レーザ光であり、第１光は緑色光であり、第２光は青色光、第３光は紫色光である。
【図面の簡単な説明】
【００２１】
【図１】内視鏡システムの外観図である。
【図２】内視鏡の先端部の正面図である。
【図３】内視鏡システムの電気的構成を示すブロック図である。
【図４】カラーフィルタアレイの構成を示す図である。
【図５】光源部の構成を示す図である。
【図６】照明光の波長スペクトルを示すグラフである。
【図７】第１ダイクロイックミラーの光透過率を示すグラフである。
【図８】回転蛍光体の構成を示す図である。
【図９】青色レーザダイオードの構成を示す図である。
【図１０】第２ダイクロイックミラーの光透過率を示すグラフである。
【図１１】第３ダイクロイックミラーの光透過率を示すグラフである。
【図１２】第２ダイクロイックミラーの変形例を示すグラフである。
【図１３】図１２に示す特性の第２ダイクロイックミラーを用いた光源部の構成を示す図である。
【図１４】第１ダイクロイックミラーの変形例を示すグラフである。
【図１５】図１４に示す第１ダイクロイックミラーを用いた光源部の構成を示す図である。
【図１６】第３ダイクロイックミラーの変形例を示すグラフである。
【図１７】図１６に示す第３ダイクロイックミラーを用いた光源部の構成を示す図である。
【図１８】光源部の変形パターンを説明する表である。
【図１９】通常観察モード時の面順次方式を説明する図である。
【図２０】血管強調観察モード時の面順次方式を説明する図である。
【図２１】緑色光の長波長成分をカットするための第２ダイクロイックミラーの変形例を示すグラフである。
【図２２】長波長カットフィルタを設けた光源部の構成を示す図である。
【図２３】ノッチフィルタを設けた光源部の構成を示す図である。
【図２４】ノッチフィルタの光透過率を示すグラフである。
【発明を実施するための形態】
【００２２】
図１において、内視鏡システム１０は、検体として生体内の観察部位を撮像する電子内視鏡（以下、単に内視鏡という）１１と、撮像により得られた撮像信号に基づいて観察部位の表示画像を生成するプロセッサ装置１２と、観察部位を照射する照明光を内視鏡１１に供給する内視鏡用光源装置（以下、単に光源装置という）１３と、表示画像を表示するモニタ１４とを備えている。プロセッサ装置１２には、キーボードやマウス等の操作入力部１５が接続されている。
【００２３】
内視鏡システム１０は、観察部位を通常光（白色光）により観察するための通常観察モードと、特殊光により観察部位の粘膜内部に存在する血管を強調して観察するための血管強調観察モードとを有する。これらの観察モードは、操作入力部１５等により選択可能である。
【００２４】
血管強調観察モードは、血管情報として血管のパターンを可視化して、腫瘍の良悪鑑別等の診断を行うためのモードである。この血管強調観察モードでは、血中ヘモグロビンに対する吸光度が高い特定の波長帯域の光の成分を多く含む特殊光を観察部位に照射する。
【００２５】
通常観察モードでは、観察部位の全体の観察に適した通常観察画像が表示画像として生成される。血管強調観察モードでは、血管のパターンの観察に適した血管強調観察画像が表示画像として生成される。
【００２６】
内視鏡１１は、生体の消化管内に挿入される挿入部１６と、挿入部１６の基端部分に設けられた操作部１７と、内視鏡１１をプロセッサ装置１２及び光源装置１３に接続するためのユニバーサルコード１８とを備えている。挿入部１６は、先端部１９、湾曲部２０、可撓管部２１で構成されており、先端側からこの順番に連結されている。
【００２７】
先端部１９の先端面には、図２に示すように、観察部位に照明光を照射する照明窓２２と、観察部位の像を取り込むための観察窓２３と、観察窓２３を洗浄するために送気・送水を行う送気・送水ノズル２４と、鉗子や電気メス等の処置具を突出させて各種処置を行うための鉗子出口２５とが設けられている。観察窓２３の奥には、撮像素子３３（図３参照）が内蔵されている。
【００２８】
湾曲部２０は、連結された複数の湾曲駒で構成されており、操作部１７のアングルノブ２６の操作に応じて、上下左右方向に湾曲する。湾曲部２０を湾曲させることにより、先端部１９が所望の方向に向けられる。可撓管部２１は、可撓性を有しており、食道や腸等の曲がりくねった管道に挿入可能である。挿入部１６には、撮像素子３３を駆動するための駆動信号や、撮像素子３３が出力する撮像信号を伝達する信号ケーブルや、光源装置１３から供給される照明光を照明窓２２に導光するライトガイド３２（図３参照）が挿通されている。
【００２９】
操作部１７には、アングルノブ２６の他、処置具を挿入するための鉗子口２７、送気・送水ノズル２４から送気・送水を行う際に操作される送気・送水ボタン２８、静止画像を撮影するためのフリーズボタン（図示せず）等が設けられている。
【００３０】
ユニバーサルコード１８には、挿入部１６から延設される通信ケーブルやライトガイド３２が挿通されており、プロセッサ装置１２及び光源装置１３側の一端には、コネクタ２９が取り付けられている。コネクタ２９は、通信用コネクタ２９ａと光源用コネクタ２９ｂからなる複合タイプのコネクタである。通信用コネクタ２９ａと光源用コネクタ２９ｂとはそれぞれ、プロセッサ装置１２と光源装置１３とに着脱自在に接続される。通信用コネクタ２９ａには通信ケーブルの一端が配置されている。光源用コネクタ２９ｂにはライトガイド３２の入射端３２ａ（図３参照）が配置されている。
【００３１】
図３において、光源装置１３は、光源部３０と、光源制御部３１とを有している。光源部３０は、光源制御部３１の制御に基づき、照明光として、通常光と特殊光とのいずれか一方を出力する。光源部３０から出力された照明光は、内視鏡１１のライトガイド３２の入射端３２ａに入射する。
【００３２】
内視鏡１１は、ライトガイド３２と、撮像素子３３と、撮像駆動部３４と、アナログ処理回路（ＡＦＥ： Analog Front End）３５と、照射レンズ３６と、対物光学系３７とを有している。ライトガイド３２は、複数本の光ファイバをバンドル化したファイババンドルである。光源用コネクタ２９ｂが光源装置１３に接続されたときに、光源用コネクタ２９ｂに配置されたライトガイド３２の入射端３２ａが光源部３０の出射端に対向する。先端部１９に位置するライトガイド３２の出射端は、２つの照明窓２２にそれぞれ光が導光されるように、照明窓２２の前段で２本に分岐している。
【００３３】
照明窓２２の奥には、照射レンズ３６が配置されている。光源装置１３から供給された照明光は、ライトガイド３２により照射レンズ３６に導光されて照明窓２２から観察部位に向けて照射される。照射レンズ３６は、凹レンズであり、ライトガイド３２から出射する照明光を、観察部位の広い範囲に照射する。
【００３４】
観察窓２３の奥には、対物光学系３７を介して撮像素子３３が配置されている。観察部位の像（反射光）は、観察窓２３を通して対物光学系３７に入射し、対物光学系３７によって撮像素子３３の撮像面３３ａに結像される。
【００３５】
撮像素子３３は、単板カラー方式のＣＣＤイメージセンサやＣＭＯＳイメージセンサであり、光電変換により画素信号を生成する複数の画素が撮像面３３ａに形成されている。撮像面３３ａには、図４に示すカラーフィルタアレイ３８が設けられている。このカラーフィルタアレイ３８は、赤色（Ｒ）フィルタ３８ａと、緑色（Ｇ）フィルタ３８ｂと、青色（Ｂ）フィルタ３８ｃとで構成されている。各フィルタ３８ａ，３８ｂ，３８ｃは、１つの画素に対応して、その光入射側に配置されている。カラーフィルタアレイ３８の色配列は、ベイヤー配列と呼ばれるものである。さらに、カラーフィルタアレイ３８上には、各画素に対応してマイクロレンズ（図示せず）が設けられている。
【００３６】
撮像素子３３は、撮像駆動部３４により駆動され、撮像面３３ａに結像された像を、カラーフィルタアレイ３８を介して複数の画素により撮像して撮像信号を出力する。撮像信号は、画素毎にＲ，Ｇ，Ｂのうちのいずれかの色信号（Ｒ信号、Ｇ信号、Ｂ信号）を有する。
【００３７】
ＡＦＥ３５は、相関二重サンプリング（ＣＤＳ）回路、自動ゲイン制御（ＡＧＣ）回路、アナログ／デジタル（Ａ／Ｄ）変換器等で構成されている。ＣＤＳ回路は、撮像素子３３から入力された撮像信号に対して相関二重サンプリング処理を施してノイズを除去する。ＡＧＣ回路は、ＣＤＳ回路によりノイズが除去された撮像信号を増幅する。Ａ／Ｄ変換器は、ＡＧＣ回路により増幅された撮像信号を、所定ビット数のデジタル信号に変換してプロセッサ装置１２に入力する。
【００３８】
プロセッサ装置１２は、制御部としてのコントローラ４０と、ＤＳＰ（Digital Signal Processor）４１と、フレームメモリ４２と、画像処理部４３と、表示制御部４４とを有している。コントローラ４０は、ＣＰＵ、制御プログラムや制御に必要な設定データを記憶するＲＯＭや、制御プログラムをロードする作業メモリとしてのＲＡＭ等を有し、ＣＰＵが制御プログラムを実行することにより、プロセッサ装置１２の各部と、光源制御部３１と、撮像駆動部３４とを制御する。
【００３９】
ＤＳＰ４１は、通信用コネクタ２９ａを介してＡＦＥ３５から入力される撮像信号に対して、画素補間処理、ガンマ補正、ホワイトバランス補正等の信号処理を施す。画素補間処理は、Ｒ信号、Ｇ信号、Ｂ信号の各信号について画素補間処理を行う。ＤＳＰ４１は、信号処理を施した撮像信号を、１フレーム周期毎に画像データとして、フレームメモリ４２に記憶させる。
【００４０】
画像処理部４３は、フレームメモリ４２から画像データを読み出して、所定の画像処理を施す。具体的には、通常観察モード時には、画像データに基づいて通常観察画像を生成する。一方、血管強調観察モード時には、画像データに基づいて血管強調観察画像を生成するが、表層血管を強調するために、例えば、画像データ中のＢ信号に基づいて画像内の表層血管の領域を抽出して、抽出した表層血管の領域に対して輪郭強調処理等を施す。そして、輪郭強調処理が施されたＢ信号を、ＲＧＢ信号を元に生成したフルカラー画像に合成する。表層血管に加えて中深層血管に対しても同様の処理を行っても良い。中深層血管を強調する場合には、中深層血管の情報が多く含まれるＧ信号から中深層血管の領域を抽出して、抽出した中深層血管の領域に対して輪郭強調処理を施す。
【００４１】
表示制御部４４は、画像処理部４３により生成された画像を、コンポジット信号やコンポーネント信号等のビデオ信号に変換してモニタ１４に出力する。なお、血管強調観察モード時には、Ｒ信号を用いずに、Ｂ信号及びＧ信号のみで血管強調観察画像を生成し、Ｂ信号をモニタ１４のＢチャンネル及びＧチャンネルに割り当て、Ｇ信号をモニタ１４のＲチャンネルに割り当てても良い。
【００４２】
図５において、光源部３０は、青色ＬＥＤ（Ｂ−ＬＥＤ）５０ａと、紫色ＬＥＤ（Ｖ−ＬＥＤ）５０ｂと、赤色ＬＥＤ（Ｒ−ＬＥＤ）５０ｃと、ＬＥＤ駆動部５１と、第１〜第３ダイクロイックミラー（ＤＭ）５２ａ〜５２ｃと、第１〜第６レンズ５３ａ〜５３ｆと、青色レーザダイオード（Ｂ−ＬＤ）５４と、ＬＤ駆動部５５と、回転蛍光体５６と、回転モータ５７と、モータ駆動部５８とを有している。
【００４３】
Ｂ−ＬＥＤ５０ａは、図６に示すように、波長帯域が約４３０ｎｍ〜４８０ｎｍで、ピーク波長が約４５５ｎｍの青色光ＬＢを発する。Ｖ−ＬＥＤ５０ｂは、波長帯域が約３９５ｎｍ〜４１５ｎｍで、ピーク波長が約４０５ｎｍの紫色光ＬＶを発する。Ｒ−ＬＥＤ５０ｃは、波長帯域が約５８０ｎｍ〜６４０ｎｍで、ピーク波長が約６２０ｎｍの赤色光ＬＲを発する。このうち、紫色光ＬＶは、血中ヘモグロビンに対する吸光度が高い狭帯域光である。
【００４４】
ＬＥＤ駆動部５１は、光源制御部３１の制御に基づいて、Ｂ−ＬＥＤ５０ａ、Ｖ−ＬＥＤ５０ｂ、Ｒ−ＬＥＤ５０ｃのそれぞれを駆動するためのＬＥＤ駆動信号（駆動電流または駆動電圧）を生成し、各ＬＥＤ５０ａ〜５０ｃに供給する。
【００４５】
第１レンズ５３ａは、Ｂ−ＬＥＤ５０ａが射出する青色光ＬＢの光路上に配置されており、青色光ＬＢを集光する。第２レンズ５３ｂは、Ｖ−ＬＥＤ５０ｂが射出する紫色光ＬＶの光路上に配置されており、紫色光ＬＶを集光する。第１レンズ５３ａから射出された青色光ＬＢの光路と、第２レンズ５３ｂから射出された紫色光ＬＶの光路とは直交しており、この交点に第１ＤＭ５２ａが配置されている。第１ＤＭ５２ａの一方の面に青色光ＬＢが４５°の角度で入射し、他方の面に紫色光ＬＶが４５°の角度で入射する。
【００４６】
第１ＤＭ５２ａは、図７に示すように、約４２０ｎｍに閾値λ１を有し、閾値λ１以下の波長の光を反射させ、閾値λ１より大きい波長の光を透過させる。すなわち、第１ＤＭ５２ａは、第１レンズ５３ａから入射した青色光ＬＢを透過させ、第２レンズ５３ｂから入射した紫色光ＬＶを９０°反射させる。これにより、青色光ＬＢと紫色光ＬＶとの各光路が統合される。
【００４７】
回転蛍光体５６は、円盤状のホイール板６０と、ホイール板６０の一方の面に設けられた蛍光体層６１とで構成されている。ホイール板６０は、銅、アルミニウム、ステンレス等の金属で形成されている。
【００４８】
蛍光体層６１は、図８に示すように、ホイール板６０の一方の面に形成された凹部６２に埋設されている。この凹部６２は、ホイール板６０の回転軸６３を中心とした円周状に形成されている。蛍光体層６１は、励起光源としてのＢ−ＬＤ５４から射出される励起光ＬＥにより緑色の蛍光（緑色光ＬＧ）を発する蛍光体により形成されている。この蛍光体としては、ＢＡＭ（ＢａＭｇＡｌ１０Ｏ１７）、β−ＳｉＡｌＯＮ（β−Ｓｉ６−ｘＡｌｘＯｘＮ８−ｘ）、ＹＡＧ（Ｙ３Ａ１５Ｏ２）等が挙げられる。緑色光ＬＧは、図６に示すように、波長帯域が約５００ｎｍ〜６００ｎｍであり、ピーク波長が約５４０ｎｍである。
【００４９】
ＬＤ駆動部５５は、光源制御部３１の制御に基づいて、Ｂ−ＬＤ５３を駆動するためのＬＤ駆動信号（駆動電流または駆動電圧）を生成し、Ｂ−ＬＤ５３に供給する。Ｂ−ＬＤ５３は、図９に示すように、複数のＬＤ素子５５ａを２次元アレイ状に配列したものである。Ｂ−ＬＤ５３は、図６に示すように、励起光ＬＥとして、波長帯域が約４５０ｎｍ〜４６０ｎｍで、ピーク波長が約４５５ｎｍの青色レーザ光を射出する。
【００５０】
第４レンズ５３ｄは、Ｂ−ＬＤ５４が射出する励起光ＬＥの光路上に配置されており、励起光ＬＥを集光する。第２ＤＭ５２ｂは、第４レンズ５３ｄから射出された励起光ＬＥの光路と、第１ＤＭ５２ａにより統合された青色光ＬＢ及び紫色光ＬＶの光路との交点に配置されている。第２ＤＭ５２ｂの一方の面には、励起光ＬＥが４５°の角度で入射し、他方の面には、青色光ＬＢ及び紫色光ＬＶが４５°の角度で入射する。
【００５１】
第２ＤＭ５２ｂは、図１０に示すように、約４９０ｎｍに閾値λ２を有するロングパスフィルタであり、閾値λ２以下の波長の光を反射させ、閾値λ２より大きい波長の光を透過させる。すなわち、第２ＤＭ５２ｂは、第４レンズ５３ｄから入射した励起光ＬＥを反射させて９０°偏角し、第１ＤＭ５２ａから入射した青色光ＬＢ及び紫色光ＬＶを反射させて９０°偏角する。
【００５２】
第５レンズ５３ｅは、第２ＤＭ５２ｂにより反射された励起光ＬＥの光路上に配置されており、励起光ＬＥを集光する。第５レンズ５３ｅにより集光された励起光ＬＥは、回転蛍光体５６の蛍光体層６１に照射される。
【００５３】
回転モータ５７は、ホイール板６０を、その回転軸６３を中心として回転させる。モータ駆動部５８は、光源制御部３１の制御に基づいて回転駆動信号を生成し、回転モータ５７に供給する。回転モータ５７は、回転駆動信号に応じてホイール板６０を回転させる。励起光ＬＥは、ホイール板６０が回転駆動されている状態で、蛍光体層６１の一部分に連続的に照射される。したがって、蛍光体層６１上の励起光ＬＥの照射位置６４は、ホイール板６０の回転とともに移動する。
【００５４】
励起光ＬＥの照射により、蛍光体層６１の照射位置６４から緑色光ＬＧが発生する。この緑色光ＬＧは、図６に示すように、波長帯域が約５００ｎｍ〜６００ｎｍで、ピーク波長が約５４０ｎｍである。この緑色光ＬＧは、第５レンズ５３ｅにより集光され、第２ＤＭ５２ｂに向けて射出される。第２ＤＭ５２ｂが前述の光学特性を有することにより、緑色光ＬＧは、第２ＤＭ５２ｂを透過する。したがって、第２ＤＭ５２ｂは、青色光ＬＢ及び紫色光ＬＶの光路と、緑色光ＬＧの光路とを統合する。
【００５５】
第３レンズ５３ｃは、Ｒ−ＬＥＤ５０ｃが射出する赤色光ＬＲの光路上に配置されており、赤色光ＬＲを集光する。第３レンズ５３ｃから射出された赤色光ＬＲの光路と、第２ＤＭ５２ｂにより統合された紫色光ＬＶ、青色光ＬＢ、及び緑色光ＬＧの光路とは直交しており、この交点に第３ＤＭ５２ｃが配置されている。第３ＤＭ５２ｃの一方の面に赤色光ＬＲが４５°の角度で入射し、他方の面に紫色光ＬＶ、青色光ＬＢ、及び緑色光ＬＧが４５°の角度で入射する。
【００５６】
第３ＤＭ５２ｃは、図１１に示すように、約５８０ｎｍに閾値λ３を有し、閾値λ３以上の波長の光を反射させ、閾値λ３より小さい波長の光を透過させる。すなわち、第３ＤＭ５２ｃは、第３レンズ５３ｃから入射した赤色光ＬＲを反射させて９０°偏角し、第２ＤＭ５２ｂから入射した紫色光ＬＶ、青色光ＬＢ、及び緑色光ＬＧを透過させる。これにより、紫色光ＬＶ、青色光ＬＢ、緑色光ＬＧ、及び赤色光ＬＲの各光路が統合される。
【００５７】
第５レンズ５３ｆは、第３ＤＭ５２ｃから射出された紫色光ＬＶ、青色光ＬＢ、緑色光ＬＧ、及び赤色光ＬＲの光路上に配置されている。また、第５レンズ５３ｆは、光源用コネクタ２９ｂの近傍に配置されており、入射した光を集光して、ライトガイド３２の入射端３２ａに入射させる。
【００５８】
通常観察モード時には、Ｂ−ＬＥＤ５０ａ、Ｒ−ＬＥＤ５０ｃ、及びＢ−ＬＤ５４が駆動され、青色光ＬＢ、緑色光ＬＧ、及び赤色光ＬＲが合波された混合光が通常光としてライトガイド３２に供給される。一方の血管強調観察モード時には、Ｖ−ＬＥＤ５０ｂ及びＢ−ＬＤ５４が駆動され、紫色光ＬＶ及び緑色光ＬＧの混合光が特殊光としてライトガイド３２に供給される。
【００５９】
青色光ＬＢ及び紫色光ＬＶは、Ｂフィルタ３８ｃが設けられた画素により撮像される。緑色光ＬＧは、Ｇフィルタ３８ｂが設けられた画素により撮像される。赤色光ＬＲは、Ｒフィルタ３８ａが設けられた画素により撮像される。
【００６０】
このように、光源部３０では、第１〜第３ＤＭ５２ａ〜５２ｃにより、青色光ＬＢ、紫色光ＬＶ、緑色光ＬＧ、及び赤色光ＬＲの各光路は、短波長側から順に統合されている。血管強調観察モードで用いられる紫色光ＬＶは、第１ＤＭ５２ａによって光路統合が行われており、通常光を構成する青色光ＬＢ、緑色光ＬＧ、及び赤色光ＬＲのうち、青色光ＬＢのみが第１ＤＭ５２ａを通過する。このため、本実施形態では、紫色光ＬＶを統合するためのダイクロイックミラーを通過するによる通常光の減衰が低減される。
【００６１】
また、本実施形態では、励起光ＬＥを回転蛍光体５６に導光させ、回転蛍光体５６からの緑色光ＬＧを射出するための第２ＤＭ５２ｂを用いて、紫色光ＬＶ、青色光ＬＢ、及び緑色光ＬＧの光路を統合しているので、ダイクロイックミラーの枚数を源の数（４個）より減らすことができる。
【００６２】
次に、内視鏡システム１０の作用を説明する。内視鏡診断を行う場合には、内視鏡１１をプロセッサ装置１２及び光源装置１３に接続し、プロセッサ装置１２及び光源装置１３の電源を投入する。内視鏡システム１０が起動すると、操作入力部１５を操作して、通常観察モードを選択する。
【００６３】
内視鏡１１の挿入部１６を被検者の消化管内に挿入して、消化管内の観察を開始する。通常観察モードでは、コントローラ４０の制御に基づき、Ｂ−ＬＥＤ５０ａ、Ｒ−ＬＥＤ５０ｃ、及びＢ−ＬＤ５４が駆動される。これにより、光源部３０から青色光ＬＢ、赤色光ＬＲ、及び緑色光ＬＧが発生され、これらが混合された通常光が照明光としてライトガイド３２に供給される。
【００６４】
内視鏡１１では、照明光がライトガイド３２を介して照明窓２２に導光され、照明窓２２から観察部位に照射される。観察部位からの反射光は、観察窓２３から対物光学系３７を介して撮像素子３３に入射する。撮像素子３３は、１フレーム周期毎に入射光を光電変換して撮像信号を生成する。この撮像信号は、ＡＦＥ３５により、ＣＤＳ、ＡＧＣ、Ａ／Ｄ変換等の処理が施され、デジタル信号としてプロセッサ装置１２のＤＳＰ４１に入力される。
【００６５】
ＤＳＰ４１は、内視鏡１１から入力されたデジタルの撮像信号に対して、フレーム単位で、画素補間処理、ガンマ補正、ホワイトバランス補正等の信号処理を施して画像データとし、この画像データをフレームメモリ４２に記憶させる。画像処理部４３は、フレームメモリ４２に記憶された画像データに対して所定の画像処理を施して通常観察画像を生成する。この通常観察画像は、表示制御部４４を介してモニタ１４に表示される。モニタ１４に表示される通常観察画像は、１フレーム毎に更新される。
【００６６】
次に、通常観察モードで病変部と疑わしき観察部位が発見された場合等には、通常観察モードから血管強調観察モードに切り替えられる。この血管強調観察モードでは、コントローラ４０の制御に基づき、Ｖ−ＬＥＤ５０ｂ及びＢ−ＬＤ５４が駆動される。これにより、光源部３０から紫色光ＬＶ及び緑色光ＬＧが発生され、これらが混合された特殊光が照明光としてライトガイド３２に供給される。
【００６７】
内視鏡１１では、観察部位からの反射光が、通常観察モードの場合と同様に撮像され、撮像信号がプロセッサ装置１２に入力される。プロセッサ装置１２では、画像処理部４３により血管強調観察画像が生成され、表示制御部４４により血管強調観察画像がモニタ１４に表示されること以外は、通常観察モードの場合と同様である。
【００６８】
なお、上記実施形態では、第２ＤＭ５２ｂを、閾値λ２以下の波長の光を反射させ、閾値λ２より大きい波長の光を透過させているが、図１２に示すように、閾値λ２以上の波長の光を反射させ、閾値λ２より小さい波長の光を透過させても良い。この場合には、Ｂ−ＬＤ５４、回転蛍光体５６、Ｂ−ＬＥＤ５０ａ及びＶ−ＬＥＤ５０ｂは、第２ＤＭ５２ｂに対して図１３に示すように配置され、第２ＤＭ５２ｂを透過した青色光ＬＢ及び紫色光ＬＶの光路と、第２ＤＭ５２ｂにより反射された緑色光ＬＧとの光路とが統合される。
【００６９】
上記実施形態では、第１ＤＭ５２ａを、閾値λ１以下の波長の光を反射させ、閾値λ１より大きい波長の光を透過させているが、図１４に示すように、閾値λ１以上の波長の光を反射させ、閾値λ１より小さい波長の光を透過させても良い。この場合には、図１５に示すように、第１ＤＭ５２ａを透過した紫色光ＬＶの光路と、第１ＤＭ５２ａにより反射された青色光ＬＢの光路とが統合される。
【００７０】
上記実施形態では、第３ＤＭ５２ｃを、閾値λ３以上の波長の光を反射させ、閾値λ３より小さい波長の光を透過させているが、図１６に示すように、閾値λ３以下の波長の光を反射させ、閾値λ３より大きい波長の光を透過させても良い。この場合には、図１７に示すように、第３ＤＭ５２ｃを透過した赤色光ＬＲの光路と、第３ＤＭ５２ｃにより反射された紫色光ＬＶ、青色光ＬＢ、及び緑色光ＬＧの光路とが統合される。
【００７１】
したがって、第１〜第３ＤＭ５２ａ〜５２ｃはそれぞれ、閾値以上の波長の光に対して反射及び透過のうちの一方を生じさせ、閾値より小さい波長の光に対して反射及び透過のうちの他方を生じさせればよいので、図１８に示すように、第１〜第３ＤＭ５２ａ〜５２ｃの光学特性（反射又は透過）の組み合わせは、上記実施形態を含めて８通りのパターンが可能である。図５に示す構成は第１のパターンに対応しており、図１３に示す構成は第２のパターンに対応している。
【００７２】
また、上記実施形態では、光源部３０にＲ−ＬＥＤ５０ｃ及び第３ＤＭ５２ｃを設けているが、Ｒ−ＬＥＤ５０ｃ及び第３ＤＭ５２ｃを設けず、緑色及び赤色の波長帯域を含む黄色光を回転蛍光体５６から発生させても良い。
【００７３】
上記実施形態では、励起光ＬＥとして青色レーザ光を用いているが、これに代えて、励起光ＬＥとして紫色レーザ光等を用いても良い。
【００７４】
上記実施形態では、原色型のカラーフィルタアレイ３８を用いているが、これに代えて、補色型のカラーフィルタアレイを用いても良い。
【００７５】
また、単板カラー方式の撮像素子３３に代えて、モノクロの撮像素子を用いても良い。この場合には、光源装置１３内のＢ−ＬＥＤ５０ａ、Ｖ−ＬＥＤ５０ｂ、Ｒ−ＬＥＤ５０ｃ、Ｂ−ＬＤ５４をそれぞれ個別に駆動し、赤色光ＬＲ、緑色光ＬＧ、青色光ＬＢ、紫色光ＬＶの各光をそれぞれ個別に発光させ、各光により照明された観察部位からの反射光を、撮像素子で個別に撮像する。この撮像方式は、面順次方式と呼ばれる。
【００７６】
具体的には、通常観察モード時には、図１９に示すように、赤色光ＬＲ、緑色光ＬＧ、青色光ＬＢがそれぞれ消灯期間を介して順に発光される。一方の血管強調観察モード時には、図２０に示すように、紫色光ＬＶと緑色光ＬＧとが灯期間を介して交互に発光される。撮像素子は、各光で照射された観察部位からの反射光により露光され、消灯期間に信号読み出しが行われる。このように消灯期間を設ける方式は、撮像素子がＣＭＯＳイメージセンサである場合に好ましい。これは、ＣＭＯＳイメージセンサでは、基本的に露光中に信号読み出しを行えないためである。ＣＣＤイメージセンサでは、露光中に信号読み出しを行うことが可能であるので、消灯期間を設けなくても良い。
【００７７】
また、この面順次方式の場合には、赤色光ＬＲ、緑色光ＬＧ、青色光ＬＢの各波長帯域を、従来のキセノン光源と波長選択フィルタとにより得られる波長帯域に近づけることが、従来の機器との親和性の点で好ましい。特に、緑色光ＬＧは、蛍光であり、長波長側に広がりが大きいので、長波長側成分をカットすることが好ましい。具体的には、緑色光ＬＧの５６０〜５９０ｎｍの範囲内の特定波長以上の光をカットすることが好ましい。
【００７８】
このためには、例えば、上記実施形態において、第３ＤＭ５２ｃの閾値λ３を、５６０〜５９０ｎｍの範囲内とすればよい。この場合には、緑色光ＬＧは、閾値λ３以上の波長成分が第３ＤＭ５２ｃを透過せず反射することにより光路外に導かれ、カットされる。
【００７９】
また、図２１に示すように、第２ＤＭ５２ｂに、第１の閾値λ２に加えて、第２の閾値λ４を設け、緑色光ＬＧのうち、第１の閾値λ２から第２の閾値λ４の間の波長成分の光のみを透過させるバンドパスフィルタとしても良い。この場合においても、第２ＤＭ５２ｂの反射と透過とを逆にすることも可能である。
【００８０】
また、図２２に示すように、５６０〜５９０ｎｍの範囲内の特定波長以上の光をカットする長波長カットフィルタ７０を、回転蛍光体５６から第３ＤＭ５２ｃまでの緑色光ＬＧの光路上に設けても良い。長波長カットフィルタ７０は、フィルタ挿脱部７１により、緑色光ＬＧの光路上に挿脱される。フィルタ挿脱部７１は、撮像方式を面順次方式とする場合に、長波長カットフィルタ７０を緑色光ＬＧの光路上に挿入する。
【００８１】
また、図２３に示すように、特定の波長範囲の光を減光させるノッチフィルタ８０を設けても良い。このノッチフィルタ８０は、第３ＤＭ５２ｃにより統合された光路上に配置される。図２４に示すように、ノッチフィルタ８０は、５６０〜５９０ｎｍの波長範囲の光を反射または吸収し、その他の波長の光を透過させるものであり、緑色光ＬＧ及び赤色光ＬＲをそれぞれ部分的に減光させる。
【００８２】
ノッチフィルタ８０は、フィルタ挿脱部８１により、第３ＤＭ５２ｃにより統合された光路上に挿脱される。フィルタ挿脱部８１は、撮像方式を面順次方式とする場合に、ノッチフィルタ８０を該光路上に挿入し、緑色光ＬＧ及び赤色光ＬＲから５６０〜５９０ｎｍの波長範囲の光を減光させる。なお、５６０〜５９０ｎｍの波長範囲の減光率は１００％で無くても良い。
【００８３】
また、上記実施形態では、蛍光体を回転駆動される回転蛍光体５６としているが、蛍光体は、回転駆動されなくてもよく、励起光ＬＥの入射方向とは反対方向に蛍光を発する反射型のものであれば良い。
【００８４】
上記実施形態では、光源装置とプロセッサ装置とを別体構成としているが、光源装置とプロセッサ装置と１つの装置で構成しても良い。
【００８５】
特許請求の範囲に記載の第１〜第４光源は、上記実施形態中のＢ−ＬＤ５４、Ｂ−ＬＥＤ５０ａ、Ｖ−ＬＥＤ５０ｂ、Ｒ−ＬＥＤ５０ｃにそれぞれに対応する。特許請求の範囲に記載の第１〜第４光は、緑色光ＬＧ、青色光ＬＢ、紫色光ＬＶ、赤色光ＬＲにそれぞれに対応する。
【００８６】
特許請求の範囲の請求項１に記載の構成は、図１８に示すパターン１〜８を含むものであるが、これを分解した付記項１〜４を以下に記載する。付記項１は、パターン１，５に対応する。付記項２は、パターン２，６に対応する。付記項３は、パターン３，７に対応する。付記項４は、パターン４，８に対応する。
【００８７】
［付記項１］
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光を透過させ、前記第３光を反射させる第１ダイクロイックミラーと、
前記励起光、前記第２光、及び前記第３光を反射させ、前記第１光を透過させる第２ダイクロイックミラーと、を備え、
前記蛍光体は、前記第１光源から前記第２ダイクロイックミラーを介して前記励起光が入射することにより、前記第２ダイクロイックミラーに向けて前記第１光を発し、
前記第１ダイクロイックミラーは、前記第２及び第３光の光路を統合し、前記第２ダイクロイックミラーは、前記第１ダイクロイックミラーにより光路が統合された前記第２及び第３光と、前記蛍光体から入射した前記第１光との光路を統合する
ことを特徴とする内視鏡用光源装置。
［付記項２］
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光を透過させ、前記第３光を反射させる第１ダイクロイックミラーと、
前記励起光、前記第２光、及び前記第３光を透過させ、前記第１光を反射させる第２ダイクロイックミラーと、を備え、
前記蛍光体は、前記第１光源から前記第２ダイクロイックミラーを介して前記励起光が入射することにより、前記第２ダイクロイックミラーに向けて前記第１光を発し、
前記第１ダイクロイックミラーは、前記第２及び第３光の光路を統合し、前記第２ダイクロイックミラーは、前記第１ダイクロイックミラーにより光路が統合された前記第２及び第３光と、前記蛍光体から入射した前記第１光との光路を統合する
ことを特徴とする内視鏡用光源装置。
［付記項３］
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光を反射させ、前記第３光を透過させる第１ダイクロイックミラーと、
前記励起光、前記第２光、及び前記第３光を反射させ、前記第１光を透過させる第２ダイクロイックミラーと、を備え、
前記蛍光体は、前記第１光源から前記第２ダイクロイックミラーを介して前記励起光が入射することにより、前記第２ダイクロイックミラーに向けて前記第１光を発し、
前記第１ダイクロイックミラーは、前記第２及び第３光の光路を統合し、前記第２ダイクロイックミラーは、前記第１ダイクロイックミラーにより光路が統合された前記第２及び第３光と、前記蛍光体から入射した前記第１光との光路を統合する
ことを特徴とする内視鏡用光源装置。
［付記項４］
励起光を発する第１光源と、
前記励起光の照射により、前記励起光よりピーク波長が長波長である第１光を発する蛍光体と、
前記第１光よりピーク波長が短波長である第２光を発する第２光源と、
前記第２光よりピーク波長が短波長である第３光を発する第３光源と、
前記第２光を反射させ、前記第３光を透過させる第１ダイクロイックミラーと、
前記励起光、前記第２光、及び前記第３光を透過させ、前記第１光を反射させる第２ダイクロイックミラーと、を備え、
前記蛍光体は、前記第１光源から前記第２ダイクロイックミラーを介して前記励起光が入射することにより、前記第２ダイクロイックミラーに向けて前記第１光を発し、
前記第１ダイクロイックミラーは、前記第２及び第３光の光路を統合し、前記第２ダイクロイックミラーは、前記第１ダイクロイックミラーにより光路が統合された前記第２及び第３光と、前記蛍光体から入射した前記第１光との光路を統合する
ことを特徴とする内視鏡用光源装置。
【００８８】
以上のように、第１ダイクロイックミラーは、第２及び第３光の光路を統合し、第２ダイクロイックミラーは、第１ダイクロイックミラーにより光路が統合された第２及び第３光と、第１光との光路を統合する。したがって、第１〜第３光源が同時に駆動され、第１〜第３光が同時に発せられた場合には、第１及び第２ダイクロイックミラーにより、第１〜第３光が合波される。
【符号の説明】
【００８９】
１０  内視鏡システム
１１  内視鏡
１２  プロセッサ装置
１３  光源装置
３０  光源部
３３  撮像素子
３８  カラーフィルタアレイ
４０  コントローラ
５２ａ〜５２ｃ  第１〜第３ダイクロイックミラー
５６  回転蛍光体
６０  ホイール板
６１  蛍光体層
７０  長波長カットフィルタ
【図１】
2015171443.tif 000003
【図２】
2015171443.tif 000004
【図３】
2015171443.tif 000005
【図４】
2015171443.tif 000006
【図５】
2015171443.tif 000007
【図６】
2015171443.tif 000008
【図７】
2015171443.tif 000009
【図８】
2015171443.tif 000010
【図９】
2015171443.tif 000011
【図１０】
2015171443.tif 000012
【図１１】
2015171443.tif 000013
【図１２】
2015171443.tif 000014
【図１３】
2015171443.tif 000015
【図１４】
2015171443.tif 000016
【図１５】
2015171443.tif 000017
【図１６】
2015171443.tif 000018
【図１７】
2015171443.tif 000019
【図１８】
2015171443.tif 000020
【図１９】
2015171443.tif 000021
【図２０】
2015171443.tif 000022
【図２１】
2015171443.tif 000023
【図２２】
2015171443.tif 000024
【図２３】
2015171443.tif 000025
【図２４】
2015171443.tif 000026